(57)【要約】【課題】印刷媒体の紙幅を有効に活用することができる印刷装置を提供する。【解決手段】ロール紙Ｐに対して、第１画像Ｃ１と、会計情報に基づいたレシート画像Ｒ１と、をロール紙Ｐの長さ方向に並ぶ位置に印刷する印刷部を備え、印刷部は、第１画像Ｃ１として、クーポン画像Ｃ１１と、会計情報に基づいた付加画像Ｃ１２と、をロール紙Ｐの幅方向に並ぶ位置に印刷する。この場合、印刷部は、複数のクーポン画像Ｃ１１から、会計情報に基づいて選択された一のクーポン画像Ｃ１１を印刷し、印刷部は、付加画像Ｃ１２として、ロール紙Ｐをロール紙Ｐの幅方向に折り曲げるための折曲箇所を示す折曲用画像Ｃ１２１を、会計情報に基づいて複数のデザインから選択された一のデザインで印刷する。【選択図】図３
2016186691.tif 000002
【特許請求の範囲】
【請求項１】
印刷媒体に対して、第１画像と、会計情報に基づいたレシート画像と、を前記印刷媒体の長さ方向に並ぶ位置に印刷する印刷部、を備え、
前記印刷部は、前記第１画像として、クーポン画像と、前記会計情報に基づいた付加画像と、を前記印刷媒体の幅方向に並ぶ位置に印刷することを特徴とする印刷装置。
【請求項２】
前記印刷部は、複数の前記クーポン画像から、前記会計情報に基づいて選択された一の前記クーポン画像を印刷し、
前記印刷部は、前記付加画像として、前記印刷媒体を前記印刷媒体の幅方向に折り曲げるための折曲箇所を示す折曲用画像を、複数のデザインから前記会計情報に基づいて選択された一のデザインで印刷することを特徴とする請求項１に記載の印刷装置。
【請求項３】
前記印刷部は、前記折曲用画像を、前記印刷媒体の長さ方向に延びる帯状の画像として印刷することを特徴とする請求項２に記載の印刷装置。
【請求項４】
前記印刷部は、前記第１画像として、第１部分画像と、第２部分画像と、を、前記印刷媒体の幅方向において、前記折曲用画像を挟む位置に印刷し、
前記印刷部は、前記第１部分画像と前記第２部分画像とを、前記折曲用画像の箇所で前記印刷媒体が折り曲げられた際に、前記第１部分画像を透かして前記第２部分画像を見たときに、前記第１部分画像と前記第２部分画像とが相互に組み合わさって完成する画像として印刷することを特徴とする請求項２に記載の印刷装置。
【請求項５】
前記印刷部は、前記付加画像として、前記会計情報に含まれる顧客情報に基づいたメッセージ画像を印刷することを特徴とする請求項１ないし４のいずれか一項に記載の印刷装置。
【請求項６】
請求項１ないし５のいずれか一項に記載の印刷装置と、
前記会計情報を取得する取得部と、
前記印刷部が前記第１画像を印刷するための第１画像用印刷制御コマンドと、前記印刷部が前記レシート画像を印刷するためのレシート画像用印刷制御コマンドと、を前記会計情報に基づいて生成するコマンド生成部と、
を備えたことを特徴とする印刷システム。
【請求項７】
前記コマンド生成部は、購入商品名に関する商品名情報、購入商品の数量に関する数量情報、および会員ＩＤに関する顧客情報の少なくとも一の情報に基づいて、前記第１画像用印刷制御コマンドおよび前記レシート画像用印刷制御コマンドを生成することを特徴とする請求項６に記載の印刷システム。
【請求項８】
請求項１ないし５のいずれか一項に記載の印刷装置、を備えた印刷システムにおいて、
前記会計情報を取得し、
前記印刷部が前記第１画像を印刷するための第１画像用印刷制御コマンドと、前記印刷部が前記レシート画像を印刷するためのレシート画像用印刷制御コマンドと、を前記会計情報に基づいて生成し、
前記印刷部が、前記第１画像用印刷制御コマンドに基づいて、前記第１画像を印刷し、
前記印刷部が、前記レシート画像用印刷制御コマンドに基づいて、前記レシート画像を印刷する
ことを特徴とする印刷システムにおける印刷方法。
【発明の詳細な説明】
【技術分野】
【０００１】
本発明は、レシートおよびクーポンを発行するための印刷装置、印刷システム、および印刷システムにおける印刷方法に関するものである。
【背景技術】
【０００２】
従来、ロール紙に対して、レシート情報記録欄と、特典情報記録欄と、をロール紙の長さ方向に並ぶ位置に設け、レシート情報記録欄には、レシート発行者、発行日、取引明細などを印刷し、特典情報記録欄には、顧客情報、累計取引金額、累計取引高、特典内容などを印刷する印刷装置が知られている。顧客情報、累計取引金額、累計取引高および特典内容は、ロール紙の長さ方向に並んで印刷されている（特許文献１参照）。
【先行技術文献】
【特許文献】
【０００３】
【特許文献１】実用新案登録第３１２１２７６号公報
【発明の概要】
【発明が解決しようとする課題】
【０００４】
本発明者は、以下の課題を見出した。
上記の印刷装置とは異なり、店舗等において、レシートとクーポンとを別々の印刷装置で印刷することが行われている。すなわち、レシートについては、サーマルプリンターによりモノクロで印刷し、一方、クーポンについては、顧客に対する訴求力を高めるべく、インクジェットプリンターによりカラーで印刷する。近年、レシートについてもカラー印刷を行うべく、レシートとクーポンとを、同じインクジェットプリンターにより印刷することが望まれている。
ここで、例えば、欧州においては、レシート用の印刷媒体の紙幅は７６ｍｍが一般的であるのに対し、クーポン用の印刷媒体の紙幅は５８ｍｍが一般的であり、レシート用の印刷媒体の方が幅広である。そのため、レシートとクーポンとを、同じインクジェットプリンターにより印刷する場合、従来はクーポン用の印刷媒体に印刷されていたクーポン画像が、レシート画像と共に同じ印刷媒体（レシート用の印刷媒体）に印刷されることになる。ところが、印刷装置などに記憶されているクーポン画像の画像データは、クーポン用の印刷媒体の紙幅に対応した画像サイズで用意されているため、これをそのままの画像サイズでレシート用の印刷媒体に印刷すると、クーポン画像に対してレシート用の印刷媒体の紙幅が余ってしまう。
これに対し、画像データをドライバーやアプリケーションにより拡大することが考えられるが、その場合、画像データに含まれているバーコードも拡大されることになるため、バーコードの読取り精度を確保することが困難である。また、ユーザーが、画像編集ソフトを用いて、バーコードのサイズを変えることなく、画像データの画像サイズを拡大させることも可能であるが、通常、何千もの画像データが用意されているため、このサイズ変更作業は大変な手間となる。
【０００５】
本発明は、印刷媒体の紙幅を有効に活用することができる印刷装置、印刷システム、および印刷システムにおける印刷方法を提供することを課題としている。
【課題を解決するための手段】
【０００６】
本発明の印刷装置は、印刷媒体に対して、第１画像と、会計情報に基づいたレシート画像と、を印刷媒体の長さ方向に並ぶ位置に印刷する印刷部、を備え、印刷部は、第１画像として、クーポン画像と、会計情報に基づいた付加画像と、を印刷媒体の幅方向に並ぶ位置に印刷することを特徴とする。
【０００７】
この構成では、前記第１画像として、前記クーポン画像が印刷されただけでは、前記クーポン画像に対して前記印刷媒体の紙幅が余ってしまう場合にも、前記クーポン画像に対して前記印刷媒体の幅方向に並ぶ位置に、前記付加画像が印刷される。したがって、本構成によれば、前記印刷媒体の紙幅を有効に活用することができる。
【０００８】
この場合、印刷部は、複数のクーポン画像から、会計情報に基づいて選択された一のクーポン画像を印刷し、印刷部は、付加画像として、印刷媒体を印刷媒体の幅方向に折り曲げるための折曲箇所を示す折曲用画像を、複数のデザインから会計情報に基づいて選択された一のデザインで印刷することが好ましい。
【０００９】
この構成では、前記クーポン画像および前記折曲用画像が印刷された前記印刷媒体であるクーポンが、前記折曲用画像の箇所で折り曲げられると、その折り目に前記折曲用画像が表れる。そして、前記折曲用画像のデザインは、前記クーポン画像の種類に対応している。したがって、本構成によれば、クーポンが財布等にしまわれた状態のままでも、前記クーポン画像の種類を把握可能とする前記折曲用画像を印刷することができる。
【００１０】
この場合、印刷部は、折曲用画像を、印刷媒体の長さ方向に延びる帯状の画像として印刷することが好ましい。
【００１１】
この構成によれば、前記クーポン画像および前記折曲用画像が印刷された前記印刷媒体であるクーポンが、前記折曲用画像の箇所で折り曲げられた際に、折り目に表れる前記折曲用画像の視認性を高めることができる。
【００１２】
この場合、印刷部は、第１画像として、第１部分画像と、第２部分画像と、を、印刷媒体の幅方向において、折曲用画像を挟む位置に印刷し、印刷部は、第１部分画像と第２部分画像とを、折曲用画像の箇所で印刷媒体が折り曲げられた際に、第１部分画像を透かして第２部分画像を見たときに、第１部分画像と第２部分画像とが相互に組み合わさって完成する画像として印刷することが好ましい。
【００１３】
この構成では、前記折曲用画像に加え、前記第１部分画像および前記第２部分画像が印刷された前記印刷媒体であるクーポンを受け取った顧客が、完成する画像を見ようとして、クーポンが前記折曲用画像の箇所で折り曲げられることになる。したがって、本構成によれば、前記折曲用画像の箇所でクーポンを折り曲げる動機づけとなる、前記第１部分画像および前記第２部分画像を印刷することができる。
【００１４】
この場合、印刷部は、付加画像として、会計情報に含まれる顧客情報に基づいたメッセージ画像を印刷することが好ましい。
【００１５】
この構成によれば、前記クーポン画像が印刷された前記印刷媒体であるクーポンを受け取る顧客に適した前記メッセージ画像を、前記クーポン画像に添えて印刷することができる。
【００１６】
本発明の印刷システムは、請求項１ないし５のいずれか一項に記載の印刷装置と、会計情報を取得する取得部と、印刷部が第１画像を印刷するための第１画像用印刷制御コマンドと、印刷部がレシート画像を印刷するためのレシート画像用印刷制御コマンドと、を会計情報に基づいて生成するコマンド生成部と、を備えたことを特徴とする。
【００１７】
この構成では、前記印刷装置が、前記第１画像用印刷制御コマンドにより、前記会計情報に基づいた前記第１画像を印刷し、前記レシート画像用印刷制御コマンドにより、前記会計情報に基づいた前記レシート画像を印刷する。そして、前記印刷装置は、前記第１画像として、前記クーポン画像と前記付加画像とを、前記印刷媒体の幅方向に並ぶ位置に印刷する。このため、前記第１画像として、前記クーポン画像が印刷されただけでは、前記印刷媒体の紙幅が余ってしまう場合にも、前記クーポン画像に対して前記印刷媒体の幅方向に並ぶ位置に、前記付加画像が印刷される。したがって、本構成によれば、前記印刷媒体の紙幅を有効に活用することができる。
【００１８】
この場合、コマンド生成部は、購入商品名に関する商品名情報、購入商品の数量に関する数量情報、および会員ＩＤに関する顧客情報の少なくとも一の情報に基づいて、第１画像用印刷制御コマンドおよびレシート画像用印刷制御コマンドを生成することが好ましい。
【００１９】
本発明の印刷システムにおける印刷方法は、請求項１ないし５のいずれか一項に記載の印刷装置、を備えた印刷システムにおいて、会計情報を取得し、印刷部が第１画像を印刷するための第１画像用印刷制御コマンドと、印刷部がレシート画像を印刷するためのレシート画像用印刷制御コマンドと、を会計情報に基づいて生成し、印刷部が、第１画像用印刷制御コマンドに基づいて、第１画像を印刷し、印刷部が、レシート画像用印刷制御コマンドに基づいて、レシート画像を印刷することを特徴とする。
【００２０】
この構成によれば、前記印刷装置が、前記第１画像用印刷制御コマンドにより、前記会計情報に基づいた前記第１画像を印刷し、前記レシート画像用印刷制御コマンドにより、前記会計情報に基づいた前記レシート画像を印刷する。そして、前記印刷装置は、前記第１画像として、前記クーポン画像と前記付加画像とを、前記印刷媒体の幅方向に並ぶ位置に印刷する。このため、前記第１画像として、前記クーポン画像が印刷されただけでは、前記印刷媒体の紙幅が余ってしまう場合にも、前記クーポン画像に対して前記印刷媒体の幅方向に並ぶ位置に、前記付加画像が印刷される。したがって、前記印刷媒体の紙幅を有効に活用することができる。
【図面の簡単な説明】
【００２１】
【図１】本発明の一実施形態に係る印刷システムの構成を示すブロック図である。
【図２】顧客マスターについて説明するための図である。
【図３】印刷システムにより発行されるレシートおよびクーポンを示す図である。
【図４】クーポンに印刷されている折曲用画像について説明するための図であり、（ａ）は折り曲げられる前の状態のクーポンを示す図、（ｂ）は折曲用画像に沿って折り曲げられた状態のクーポンを示す図、（ｃ）は折曲用画像に沿って折り曲げられ、財布にしまわれた状態のクーポンを示す図である。
【図５】クーポン画像データベースについて説明するための図である。
【図６】色データベースについて説明するための図である。
【図７】メッセージ画像データベースについて説明するための図である。
【図８】ホストコンピューターが実行するクーポン発行フローを示すフローチャートである。
【図９】（ａ）はロイヤル会員向けのクーポンを示す図、（ｂ）は一般会員向けのクーポンを示す図、（ｃ）は非会員向けのクーポンを示す図である。
【図１０】印刷システムにより発行されるクーポンの他の例を示す図であり、（ａ）は折り曲げられる前の状態のクーポンを示す図、（ｂ）は折曲用画像に沿って折り曲げられた状態のクーポンを示す図である。
【発明を実施するための形態】
【００２２】
以下、添付の図面を参照し、本発明の一実施形態に係る印刷システムＡについて説明する。この印刷システムＡは、スーパーマーケットや、コンビニエンスストア等の店舗において、商品の販売実績情報を管理するＰＯＳシステム（Point Of Sales system）の一部を構成するものである。
【００２３】
図１を参照して、印刷システムＡの概略構成について説明する。印刷システムＡは、購入された商品の会計処理時に、顧客に対し、レシートＲ（図３参照）を発行すると共に、レシートＲの発行に応じて適宜クーポンＣ（図３参照）を発行する。印刷システムＡは、ＰＯＳ端末１と、印刷装置２と、ホストコンピューター３と、を備えている。
【００２４】
ＰＯＳ端末１は、店舗のレジカウンターに設置される。ＰＯＳ端末１は、操作パネル１１と、バーコードリーダー１２と、カードリーダー１３とを備えている。操作パネル１１は、購入商品や預り金に関する入力操作を受け付ける。バーコードリーダー１２は、商品やクーポンＣに付されたバーコードを光学的に読み取る。カードリーダー１３は、会員カード等のカードに記録された磁気情報を読み取る。
【００２５】
ＰＯＳ端末１は、操作パネル１１に対する操作結果、バーコードリーダー１２の読取り結果、およびカードリーダー１３の読取り結果に基づいて、会計情報を取得し、会計処理を行う。会計情報には、例えば、購入日時に関する日時情報、購入商品名に関する商品名情報、購入商品の数量に関する数量情報、顧客から預かった金額に関する預り金情報、会員ＩＤに関する顧客情報が含まれる。
【００２６】
印刷装置２は、ＰＯＳ端末１と共に店舗のレジカウンターに設置される。印刷装置２は、カラー印刷が可能なインクジェットプリンターである。印刷装置２は、ホストコンピューター３による制御の下、帯状の連続紙であるロール紙Ｐ（図３参照）に対してインクジェットヘッドによりインクを吐出して画像を印刷した上で、所定の位置でロール紙Ｐを切断することにより、レシートＲおよびクーポンＣを発行する。なお、ロール紙Ｐとしては、その紙幅は特に限定されるものではないが、例えば欧州で一般的な７６ｍｍ幅のものを用いることができる。印刷装置２は、印刷部２１と、印刷制御部２２とを備えている。
【００２７】
印刷部２１は、図示省略したが、複数色（例えばＣＭＹＫの４色）のインクを吐出するインクジェットヘッドと、インクジェットヘッドを搭載したキャリッジと、キャリッジをロール紙Ｐの紙幅方向に移動させる移動機構と、ロール紙Ｐを送る送り機構と、ロール紙Ｐを切断する切断機構とを備えている。
【００２８】
印刷制御部２２は、ＣＰＵ（Central Processing Unit）、ＲＯＭ（Read Only Memory）およびＲＡＭ（Random Access Memory）などを備えている。印刷制御部２２は、ホストコンピューター３から受信した各種制御コマンドに基づいて、印刷部２１を制御する。
【００２９】
ホストコンピューター３は、印刷装置２およびＰＯＳ端末１と通信可能に接続されており、印刷システムＡ全体を制御する。ホストコンピューター３は、ホスト入力部３１と、ホスト表示部３２と、ホスト記憶部３３と、ホスト制御部３４と、端末通信部３５と、印刷通信部３６と、ネットワーク通信部３７とを備えている。
【００３０】
ホスト入力部３１は、キーボードやマウス等の入力デバイス４に接続されており、入力デバイス４に対する入力を検出し、その入力データをホスト制御部３４に出力する。ホスト表示部３２は、表示装置５に接続されており、ホスト制御部３４による制御の下、各種データを表示装置５に表示させる。なお、表示装置５としては、例えば、液晶ディスプレイを用いることができる。
【００３１】
ホスト記憶部３３は、ハードディスクやＥＥＰＲＯＭ（Electrically Erasable Programmable Read Only Memory）等を備えており、各種データを不揮発的に書き換え可能に記憶する。ホスト記憶部３３には、ＰＯＳアプリケーション３３１と、プリンタードライバー３３２と、クーポン画像データベース３３３と、色データベース３３４と、メッセージ画像データベース３３５とが記憶されている。
【００３２】
ＰＯＳアプリケーション３３１は、レシートＲおよびクーポンＣを発行するために必要な印刷データを生成するためのプログラムである。この印刷データには、後述する各画像データが含まれる。プリンタードライバー３３２は、ＰＯＳアプリケーション３３１から入力した印刷データに基づいて、印刷装置２のコマンド体系に準拠した制御コマンドを生成するためのプログラムである。なお、クーポン画像データベース３３３、色データベース３３４、およびメッセージ画像データベース３３５については、後述する。
【００３３】
ホスト制御部３４は、ＣＰＵ、ＲＯＭおよびＲＡＭなどを備えており、ホストコンピューター３の各部を制御する。ホスト制御部３４は、ＣＰＵが、ホスト記憶部３３からＰＯＳアプリケーション３３１を読み出してＲＡＭを用いて実行することによって、印刷データを生成する。また、ホスト制御部３４は、ＣＰＵが、ホスト記憶部３３からプリンタードライバー３３２を読み出してＲＡＭを用いて実行することによって、制御コマンドを生成し、生成した制御コマンドを印刷装置２の印刷制御部２２に出力する。制御コマンドには、後述するレシート画像Ｒ１（図３参照）を印刷するためのレシート画像用印刷制御コマンド、第１画像Ｃ１（図３参照）を印刷するための第１画像用印刷制御コマンドが含まれる。
【００３４】
端末通信部３５は、ホスト制御部３４による制御の下、所定の通信規格に準拠して、ＰＯＳ端末１と通信する。印刷通信部３６は、ホスト制御部３４による制御の下、所定の通信規格に準拠して、印刷装置２と通信する。
【００３５】
ネットワーク通信部３７は、ＬＡＮ（Local Area Network）やインターネット等のネットワークを介して、ＰＯＳ管理サーバー６に接続されている。ネットワーク通信部３７は、ホスト制御部３４による制御の下、所定の通信規格に準拠して、ネットワークを介して、ＰＯＳ管理サーバー６と通信する。ＰＯＳ管理サーバー６には、商品マスター６１、顧客マスター６２、在庫マスター６３等の各種データベースが記憶されている。ホストコンピューター３は、印刷装置２がレシートＲやクーポンＣを発行するために必要な情報を、ＰＯＳ管理サーバー６の各種データベースにアクセスして取得する。
【００３６】
図２を参照して、顧客マスター６２について説明する。顧客マスター６２には、会員ＩＤと、その会員の氏名（会員名）、生年月日、購入商品履歴、会員ランクなどに関する会員情報とが、関連付けて登録されている。なお、会員ランクとは、例えば、会員であるか否か、や、所定期間内の購入金額、購入回数等に応じて、ロイヤル会員、一般会員、非会員の３段階に会員をランク付けしたものである。
【００３７】
図３を参照して、印刷装置２が発行するレシートＲおよびクーポンＣについて説明する。レシートＲは、ロール紙Ｐに対して、レシート画像Ｒ１が印刷されたものであり、クーポンＣは、ロール紙Ｐに対して、第１画像Ｃ１が印刷されたものである。印刷装置２は、ロール紙Ｐに対してレシート画像Ｒ１と第１画像Ｃ１とをロール紙Ｐの長さ方向に並べて印刷すると共に、レシート画像Ｒ１の後端および第１画像Ｃ１の後端でロール紙Ｐを切断することにより、発行する。なお、レシートＲとクーポンＣの発行順序は特に問わない。また、レシートＲとクーポンＣとは連なっていてもよい。つまり、印刷装置２は、レシート画像Ｒ１と第１画像Ｃ１との間で、ロール紙Ｐを切断しない構成であってもよい。
【００３８】
レシート画像Ｒ１には、トップロゴ画像Ｒ１１、購入日時画像Ｒ１２、明細画像Ｒ１３、合計金額画像Ｒ１４、釣銭画像Ｒ１５、顧客情報画像Ｒ１６およびポイント情報画像Ｒ１７が含まれる。トップロゴ画像Ｒ１１は、店舗のロゴを示すものである。購入日時画像Ｒ１２は、商品の購入日時を示すものである。明細画像Ｒ１３は、購入商品の名称、購入商品の単価、購入商品の数量、および商品毎の購入金額を示すものである。合計金額画像Ｒ１４は、購入金額の合計額を示すものである。釣銭画像Ｒ１５は、顧客からの預り金の金額、およびお釣りの金額を示すものである。顧客情報画像Ｒ１６は、顧客の会員ＩＤを示すものである。ポイント情報画像Ｒ１７は、今回の購入により顧客が獲得したポイント数および累積ポイント数を示すものである。
【００３９】
このようなレシート画像Ｒ１を、印刷装置２は、ホストコンピューター３から出力されたレシート画像用印刷制御コマンドに基づいて印刷する。レシート画像用印刷制御コマンドは、会計情報に基づいて作成される。例えば、レシート画像用印刷制御コマンドに含まれる、購入日時画像Ｒ１２を印刷するための日時画像用印刷制御コマンドは、会計情報に含まれる日時情報に基づいて作成される。
【００４０】
第１画像Ｃ１には、クーポン画像Ｃ１１と、付加画像Ｃ１２とが含まれる。クーポン画像Ｃ１１と付加画像Ｃ１２とは、ロール紙Ｐの幅方向に並べて印刷されている。
【００４１】
クーポン画像Ｃ１１には、割引対象商品画像Ｃ１１１、割引内容画像Ｃ１１２、利用可能期間画像Ｃ１１３、利用可能店舗画像Ｃ１１４およびバーコード画像Ｃ１１５が含まれる。割引対象商品画像Ｃ１１１は、割引の対象となる商品を示すものである。割引内容画像Ｃ１１２は、割引内容（例えば割引率や割引額）を示すものである。利用可能期間画像Ｃ１１３は、クーポンＣの利用可能な期間を示すものである。利用可能店舗画像Ｃ１１４は、クーポンＣの利用可能な店舗を示すものである。バーコード画像Ｃ１１５は、割引対象商品に関する情報、割引内容に関する情報などがコード化されたものである。
【００４２】
付加画像Ｃ１２には、折曲用画像Ｃ１２１およびメッセージ画像Ｃ１２２が含まれる。折曲用画像Ｃ１２１は、ロール紙Ｐの長さ方向に延びる帯状の画像である。後述するように、折曲用画像Ｃ１２１は、クーポンＣをロール紙Ｐの幅方向に折り曲げるための折曲箇所を示すものである。また、折曲用画像Ｃ１２１の色は、クーポン画像Ｃ１１の種類を示すものである。メッセージ画像Ｃ１２２は、クーポンＣを受け取った顧客に向けたメッセージを示すものである。
【００４３】
このような第１画像Ｃ１を、印刷装置２は、ホストコンピューター３から出力された第１画像用印刷制御コマンドに基づいて印刷する。第１画像用印刷制御コマンドは、後述するクーポン発行フローにおいて、会計情報に基づいて作成される。
【００４４】
図４を参照して、折曲用画像Ｃ１２１について説明する。折曲用画像Ｃ１２１は、上述したように、クーポンＣをロール紙Ｐの幅方向に折り曲げるための折曲箇所を示す目印となる。折曲用画像Ｃ１２１に沿って、すなわち帯状の折曲用画像Ｃ１２１の幅方向略中心位置で折り曲げられたクーポンＣの折り目には、折曲用画像Ｃ１２１の色が表れる（図４（ｂ）参照）。そのため、折曲用画像Ｃ１２１に沿って折り曲げられたクーポンＣが、顧客の財布Ｗにしまわれた状態のままでも、顧客はクーポンＣをレシートＲなどの他の紙類と容易に見分けることができる（図４（ｃ）参照）。
【００４５】
図５を参照して、クーポン画像データベース３３３について説明する。クーポン画像データベース３３３には、複数のクーポン画像Ｃ１１の各画像データ（以下「クーポン画像データ」という。）が、会員ランクと関連付けて格納されている。すなわち、クーポン画像Ｃ１１は、例えば割引内容の違いに応じて、ロイヤル会員向けのものと、一般会員向けのものと、非会員向けのものとに種類分けされる。ここで、クーポン画像データの画像サイズは、従来の一般的なクーポン用紙の紙幅（例えば５８ｍｍ）、すなわち、印刷装置２にセットされるロール紙Ｐの紙幅（例えば７６ｍｍ）よりも狭い紙幅、に対応したものとなっている。
【００４６】
図６を参照して、色データベース３３４について説明する。色データベース３３４では、折曲用画像Ｃ１２１の色情報が、会員ランクと関連付けて格納されている。例えば、色データベース３３４では、折曲用画像Ｃ１２１の色情報「青」と会員ランク「ロイヤル会員」とが関連付けられ、折曲用画像Ｃ１２１の色情報「赤」と会員ランク「一般会員」とが関連付けられ、折曲用画像Ｃ１２１の色情報「黄」と会員ランク「非会員」とが関連付けられている。
【００４７】
図７を参照して、メッセージ画像データベース３３５について説明する。メッセージ画像データベース３３５には、複数のメッセージ画像Ｃ１２２の各画像データ（以下「メッセージ画像データ」という。）が、会員ランクと関連付けて格納されている。すなわち、メッセージ画像データとしては、ロイヤル会員向けのものと、一般会員向けのものと、非会員向けのものとが用意されている。
【００４８】
図８を参照して、ホストコンピューター３が実行する、クーポン発行フローについて説明する。ホストコンピューター３は、カードリーダー１３により会員カードから顧客情報（会員ＩＤ）の読取りが行われるか、顧客が会員カードを持っておらず、非会員である旨の入力操作が操作パネル１１に為された場合に、クーポン発行フローを開始する。
【００４９】
ホストコンピューター３は、クーポン発行フローを開始すると、ステップＳ１において、顧客情報を取得したか否かを判断する。ホストコンピューター３は、顧客情報を取得したと判断した場合（Ｓ１；Ｙｅｓ）、ステップＳ２に進む。
【００５０】
ホストコンピューター３は、ステップＳ２において、ＰＯＳ管理サーバー６の顧客マスター６２にアクセスし、会員カードから読み取られた顧客情報（会員ＩＤ）に対応する会員情報を取得する。
【００５１】
ホストコンピューター３は、ステップＳ３に進み、取得した会員情報に基づいて、商品を購入した顧客が、ロイヤル会員であるか否かを判断する。ホストコンピューター３は、ロイヤル会員であると判断すると（Ｓ３；Ｙｅｓ）、ステップＳ４に進む。
【００５２】
ホストコンピューター３は、ステップＳ４において、取得した会員情報に基づき、会員名およびその会員がロイヤル会員である旨を表示装置５に表示させる。これにより、店員に対し、顧客の会員ランクを認識させることができる。
【００５３】
ホストコンピューター３は、ステップＳ５に進み、店員によるレジ操作に伴ってＰＯＳ端末１から取得された商品名情報および数量情報を、会員ＩＤと共にＰＯＳ管理サーバー６に送信し、顧客マスター６２に登録する。
【００５４】
ホストコンピューター３は、ステップＳ６に進み、クーポン画像データベース３３３から、ロイヤル会員に関連付けられたクーポン画像データを取得すると共に、色データベース３３４から、ロイヤル会員に関連付けられた色情報（青）を取得する。
【００５５】
ホストコンピューター３は、ステップＳ７に進み、メッセージ画像データベース３３５から、ロイヤル会員に関連付けられたメッセージ画像データを取得し、ステップＳ１５に進む。
【００５６】
ホストコンピューター３は、ステップＳ３において、ロイヤル会員ではない（一般会員である）と判断すると（Ｓ３；Ｎｏ）、ステップＳ８に進む。
【００５７】
ホストコンピューター３は、ステップＳ８において、取得した会員情報に基づき、会員名およびその会員が一般会員である旨を表示装置５に表示させる。
【００５８】
ホストコンピューター３は、ステップＳ９に進み、ステップＳ５と同様に、レジ操作に伴って取得された商品名情報および数量情報を、会員ＩＤと共にＰＯＳ管理サーバー６に送信し、顧客マスター６２に登録する。
【００５９】
ホストコンピューター３は、ステップＳ１０に進み、クーポン画像データベース３３３から、一般会員に関連付けられたクーポン画像データを取得すると共に、色データベース３３４から、一般会員に関連付けられた色情報（赤）を取得する。
【００６０】
ホストコンピューター３は、ステップＳ１１に進み、メッセージ画像データベース３３５から、一般会員に関連付けられたメッセージ画像データを取得し、ステップＳ１５に進む。
【００６１】
ホストコンピューター３は、ステップＳ１において、顧客情報を取得していないと判断した場合（Ｓ１；Ｎｏ）、ステップＳ１２に進む。
【００６２】
ホストコンピューター３は、ステップＳ１２において、その顧客が非会員である旨を表示装置５に表示させる。
なお、ここでは、ステップＳ５やステップＳ９とは異なり、ホストコンピューター３は、レジ操作に伴って取得された商品名情報等を、会員ＩＤと共にＰＯＳ管理サーバー６に送信しない。
【００６３】
ホストコンピューター３は、ステップＳ１３に進み、クーポン画像データベース３３３から、非会員に関連付けられたクーポン画像データを取得すると共に、色データベース３３４から、非会員に関連付けられた色情報（黄）を取得する。
【００６４】
ホストコンピューター３は、ステップＳ１４に進み、メッセージ画像データベース３３５から、非会員に関連付けられたメッセージ画像データを取得し、ステップＳ１５に進む。
【００６５】
ホストコンピューター３は、ステップＳ１５において、読み出したクーポン画像データ、色情報およびメッセージ画像データに基づいて、第１画像用印刷制御コマンド生成し、生成した第１画像用印刷制御コマンドを印刷装置２に出力する。ホストコンピューター３は、ステップＳ１５を実行した後、一連のクーポン発行フローを終了する。
【００６６】
図９は、クーポン発行フローにおいて生成された第１画像用印刷制御コマンドに基づいて、印刷装置２が印刷・発行したクーポンＣを示す。図９（ａ）に示すクーポンＣが、ロイヤル会員向けのものであり、図９（ｂ）に示すクーポンＣが、一般会員向けのものであり、図９（ｃ）に示すクーポンＣが、非会員向けのものである。なお、図９では、クーポンＣ間における折曲用画像Ｃ１２１の色の違いを、便宜上、グレースケールにて示す。
【００６７】
以上説明したように、本実施形態に係る印刷装置２は、ロール紙Ｐに対して、第１画像Ｃ１と、会計情報に基づいたレシート画像Ｒ１と、ロール紙Ｐの長さ方向に並ぶ位置に印刷する印刷部２１を備えている。印刷部２１は、第１画像Ｃ１として、クーポン画像Ｃ１１と、会計情報に基づいた付加画像Ｃ１２と、をロール紙Ｐの幅方向に並ぶ位置に印刷する。
この構成では、第１画像Ｃ１として、クーポン画像Ｃ１１が印刷されただけでは、クーポン画像Ｃ１１に対してロール紙Ｐの紙幅が余ってしまう場合にも、クーポン画像Ｃ１１に対してロール紙Ｐの幅方向に並ぶ位置に、付加画像Ｃ１２が印刷される。したがって、ロール紙Ｐの紙幅を有効に活用することができる。
【００６８】
本実施形態に係る印刷装置２では、印刷部２１は、ロイヤル会員向け、一般会員向けおよび非会員向けの３種類に種類分けされ得る複数のクーポン画像Ｃ１１から、会計情報に含まれる顧客情報に基づいて選択された一のクーポン画像Ｃ１１を印刷する。印刷部２１は、付加画像Ｃ１２として、ロール紙Ｐをロール紙Ｐの幅方向に折り曲げるための折曲箇所を示す折曲用画像Ｃ１２１を、青、赤および黄の３色から顧客情報に基づいて選択された一の色で印刷する。
この構成では、クーポン画像Ｃ１１および折曲用画像Ｃ１２１が印刷されたロール紙ＰであるクーポンＣが、折曲用画像Ｃ１２１の箇所で折り曲げられると、その折り目に折曲用画像Ｃ１２１の色が表れる。そして、折曲用画像Ｃ１２１の色は、クーポン画像Ｃ１１の種類に対応している。したがって、本構成によれば、クーポンＣが財布等にしまわれた状態のままでも、クーポン画像Ｃ１１の種類を把握可能とする折曲用画像Ｃ１２１を印刷することができる。換言すれば、顧客にとっては、例えば、折曲用画像Ｃ１２１の箇所で折り曲げられたクーポンＣの折り目が青色であった場合に、そのクーポンＣがロイヤル会員向けのものであることが、クーポンＣが財布等にしまわれた状態のままでも把握することができる。特に、クーポンＣの種類に応じて、折曲用画像Ｃ１２１の色を異ならせることで、クーポンＣの種類を容易に見分けることができる。
【００６９】
本実施形態に係る印刷装置２では、印刷部２１は、折曲用画像Ｃ１２１を、ロール紙Ｐの長さ方向に延びる帯状の画像として印刷する。
この構成によれば、クーポン画像Ｃ１１および折曲用画像Ｃ１２１が印刷されたロール紙ＰであるクーポンＣが、折曲用画像Ｃ１２１の箇所で折り曲げられた際に、折り目に表れる折曲用画像Ｃ１２１の視認性を高めることができる。
【００７０】
本実施形態に係る印刷装置２では、印刷部２１は、付加画像Ｃ１２として、会計情報に含まれる顧客情報に基づいたメッセージ画像Ｃ１２２を印刷する。
この構成によれば、クーポンＣを受け取る顧客に適したメッセージ画像Ｃ１２２を、クーポン画像Ｃ１１に添えて印刷することができる。
【００７１】
本実施形態に係る印刷システムＡでは、印刷装置２と、会計情報を取得するＰＯＳ端末１と、印刷部２１が第１画像Ｃ１を印刷するための第１画像用印刷制御コマンドと、印刷部２１がレシート画像Ｒ１を印刷するためのレシート画像用印刷制御コマンドと、を会計情報に基づいて生成するホスト制御部３４とを備えている。
この構成によれば、印刷装置２が、第１画像用印刷制御コマンドにより、会計情報に基づいた第１画像Ｃ１を印刷し、レシート画像用印刷制御コマンドにより、会計情報に基づいたレシート画像Ｒ１を印刷する。そして、印刷装置２は、第１画像Ｃ１として、クーポン画像Ｃ１１と付加画像Ｃ１２とを、ロール紙Ｐの幅方向に並ぶ位置に印刷する。このため、第１画像Ｃ１として、クーポン画像Ｃ１１が印刷されただけでは、ロール紙Ｐの紙幅が余ってしまう場合にも、クーポン画像Ｃ１１に対してロール紙Ｐの幅方向に並ぶ位置に、付加画像Ｃ１２が印刷される。したがって、ロール紙Ｐの紙幅を有効に活用することができる。
【００７２】
なお、ロール紙Ｐは、「印刷媒体」の一例である。ＰＯＳ端末１は、「取得部」の一例である。ホスト制御部３４は、「コマンド生成部」の一例である。
本発明は上記した実施形態に限定されず、その趣旨を逸脱しない範囲で種々の構成を採用可能であることは言うまでもない。例えば、本実施形態は、以下のような形態に変更することができる。
【００７３】
図１０に示すように、印刷部２１は、第１画像Ｃ１として、第１部分画像Ｃ１３と第２部分画像Ｃ１４とを、前記折曲用画像Ｃ１２１を前記ロール紙Ｐの幅方向に挟む位置に印刷してもよい。この第１部分画像Ｃ１３および前記第２部分画像Ｃ１４は、折曲用画像Ｃ１２１に沿って前記ロール紙Ｐが折り曲げられた際に、第１部分画像Ｃ１３を透かして第２部分画像Ｃ１４を見たときに、或いは、第２部分画像Ｃ１４を透かして第１部分画像Ｃ１３を見たときに、相互に組み合わさって１つの画像を完成させるものである（図１０（ｂ）参照）。
この構成では、折曲用画像Ｃ１２１に加え、第１部分画像Ｃ１３および第２部分画像Ｃ１４が印刷されたロール紙ＰであるクーポンＣを受け取った顧客が、完成する画像を見ようとして、クーポンＣが折曲用画像Ｃ１２１の箇所で折り曲げられることになる。したがって、本構成によれば、折曲用画像Ｃ１２１の位置でクーポンＣを折り曲げる動機づけとなる、第１部分画像Ｃ１３および第２部分画像Ｃ１４を印刷することができる。
なお、第１部分画像Ｃ１３および第２部分画像Ｃ１４としては、図１０に示したように、数列（抽選番号）を完成させるものに限定されるものではなく、例えば、顧客向けのメッセージなどの文字列を完成させるものであってもよく、図形や絵柄を完成させるものであってもよい。
【００７４】
クーポンＣとしては、会員ランクのほか、割引対象商品、利用期間、利用可能店舗などに応じて、種類分けされたものであってもよい。また、クーポン画像Ｃ１１の種類および折曲用画像Ｃ１２１の色は、会員ランクのほか、商品名情報、数量情報などの会計情報に基づいて選択されたものであってもよい。具体的には、クーポンＣが、割引対象商品に応じて、商品Ａ、商品Ｂの２種類に種類分けされる場合に、商品名情報および数量情報から算出して得られる購入金額の合計額が、所定の金額を超える場合には、印刷部２１が、商品Ａを示す割引対象商品画像Ｃ１１１と共に青色の折曲用画像Ｃ１２１を印刷する。そして、購入金額の合計額が、所定の金額以下である場合には、商品Ｂを示す割引対象商品画像Ｃ１１１と共に赤色の折曲用画像Ｃ１２１を印刷してもよい。この場合、折曲用画像Ｃ１２１の色が、割引対象商品を示すことになる。
【００７５】
クーポンＣの種類に応じて、折曲用画像Ｃ１２１のデザインとして模様（例えば、水玉、ストライプ、唐草等）や長さ（クーポンＣの全長、３／４の長さ、１／２の長さ等）を異ならせてもよい。
折曲用画像Ｃ１２１としては、例えば、帯状のものより細い、線状のものであってもよい。
【００７６】
メッセージ画像Ｃ１２２は、会員ランクのほか、生年月日、購入商品履歴などの会員情報に基づいたものであってもよい。例えば、印刷装置２は、誕生月の顧客に対しては、「誕生日おめでとうございます」といったメッセージ画像Ｃ１２２を印刷してもよい。
さらに、メッセージ画像Ｃ１２２は、会員情報の元となる顧客情報のほか、商品名情報、数量情報などの会計情報に基づいたものであってもよい。例えば、印刷装置２は、購入商品に商品Ａが含まれる場合には、商品Ａを割引対象とするクーポン画像Ｃ１１を印刷すると共に、商品Ａに関する情報をメッセージ画像Ｃ１２２として印刷してもよい。
【００７７】
印刷装置２の印刷方式は、特に限定されるものではないが、訴求力の高いレシートＲおよびクーポンＣを印刷する観点から、カラー印刷可能であることが好ましい。
ホストコンピューター３が備える各部を、ＰＯＳ端末１または印刷装置２に持たせてもよく、他の外部装置に持たせてもよい。
【符号の説明】
【００７８】
２        ：印刷装置
２１      ：印刷部
Ａ        ：印刷システム
Ｃ１      ：第１画像
Ｃ１１    ：クーポン画像
Ｃ１２    ：付加画像
Ｐ        ：ロール紙
Ｒ１      ：レシート画像
【図１】
2016186691.tif 000003
【図２】
2016186691.tif 000004
【図３】
2016186691.tif 000005
【図４】
2016186691.tif 000006
【図５】
2016186691.tif 000007
【図６】
2016186691.tif 000008
【図７】
2016186691.tif 000009
【図８】
2016186691.tif 000010
【図９】
2016186691.tif 000011
【図１０】
2016186691.tif 000012